(57)【特許請求の範囲】
【請求項１】
自動販売機の前面にロゴや広告情報を表示する広告表示部を備え、この広告表示部に設けられ、光により生成された電力を給電して表示する太陽電池を用いた自動販売機の広告表示装置であって、
前記太陽電池としては、表面に対し直接的又は間接的な加飾が施されかつ光を透過するシート状の有機系太陽電池が適用されており、
前記有機系太陽電池は、
当該有機系太陽電池を保持する枠体と、
この枠体に取り付けられ、前記有機系太陽電池で生成した電力を蓄電する有機系太陽電池用蓄電部と、
前記枠体に取り付けられ、前記有機系太陽電池用蓄電部に蓄電した電力により発光するシート状の発光体と、
を備え、前記枠体、前記有機系太陽電池用蓄電部及び前記発光体と共にモジュール化された状態で、前記広告表示部に収容されていることを特徴とする太陽電池を用いた自動販売機の広告表示装置。
【請求項２】
自動販売機の前面にロゴや広告情報を表示する広告表示部を備え、この広告表示部に設けられ、光により生成された電力を給電して表示する太陽電池を用いた自動販売機の広告表示装置であって、
前記太陽電池としては、表面に対し直接的又は間接的な加飾が施されかつ光を透過するシート状の有機系太陽電池が適用されており、
前記有機系太陽電池は、
当該有機系太陽電池で生成した電力を蓄電する有機系太陽電池用蓄電部と、
この有機系太陽電池用蓄電部に蓄電した電力により発光するシート状の発光体と、
加飾が施されかつ周縁よりも内側部分を前方へ膨出させた膨出部を有する透明板と、
を備え、前記透明板の膨出部により前方から覆われて当該透明板並びに前記有機系太陽電池用蓄電部及び前記発光体と共にモジュール化された状態で、前記広告表示部に対応する前記自動販売機の前面の対応位置に前記透明板の周縁が前方から取り付けられていることを特徴とする太陽電池を用いた自動販売機の広告表示装置。
【請求項３】
前記有機系太陽電池用蓄電部は、前記有機系太陽電池の外部との間で電力の給電を行う有機系太陽電池用外部端子を備えている請求項１又は請求項２に記載の太陽電池を用いた自動販売機の広告表示装置。
【請求項４】
自動販売機の前面には、複数の商品ダミー体を収容する展示室が設けられ、前記各商品ダミー体の少なくとも１つには、電力により作動する作動手段を備えており、
前記作動手段が、前記有機系太陽電池用外部端子に対し配線を介して接続されている請求項３に記載の太陽電池を用いた自動販売機の広告表示装置。
【請求項５】
前記太陽電池としては、前記自動販売機の上面又は側面に設けられたシリコン系太陽電池も適用されており、
前記シリコン系太陽電池には、当該シリコン系太陽電池により生成された電力を蓄電するシリコン系太陽電池用蓄電部が設けられているとともに、
前記シリコン系太陽電池用蓄電部には、当該蓄電部で蓄電した電力を前記作動手段に対し配線を介して給電するシリコン系太陽電池用外部端子が設けられている請求項４に記載の太陽電池を用いた自動販売機の広告表示装置。
【請求項６】
前記有機系太陽電池としては、色素増感太陽電池又は有機薄膜太陽電池が適用されている請求項１〜請求項５のいずれか１つに記載の太陽電池を用いた自動販売機の広告表示装置。
【発明の詳細な説明】
【技術分野】
【０００１】
本発明は、太陽電池を用いた自動販売機の広告表示装置に関し、特に、有機系太陽電池を用いたものに関わる。
【背景技術】
【０００２】
一般に、自動販売機の前面には、複数の商品ダミー体を収容する展示室が設けられ、この展示室の下方又は側方に商品の広告を表示する広告表示部が設けられることもある。
【０００３】
また、このような自動販売機の天面に太陽電池を設置し、太陽電池において昼間の太陽光により生成した電力をバッテリなどの蓄電部に蓄電し、この蓄電部に蓄電した電力を夜間などに展示室や広告表示部に対し給電して、当該展示室や広告表示部を照らす発光体の電力に利用することで、自動販売機の省電力化を図るようにしたものが従来より知られている（例えば、特許文献１参照）。そして、前記太陽電池としては、多結晶シリコン素子を多数板状に成形したパネルを有する所謂シリコン系太陽電池が適用されている。
【０００４】
一方、近来より、光吸収層（光電変換層）に有機化合物を用いた有機系太陽電池も開発されており、この有機系太陽電池は、生産コストが低くできる上、着色性や柔軟性などを持たせられるなどの利点を有している。
【先行技術文献】
【特許文献】
【０００５】
【特許文献１】特開２０１１−１８６８８２号公報
【発明の概要】
【発明が解決しようとする課題】
【０００６】
ところで、前記シリコン系太陽電池は、建物などの天面に設置して使用され、十分な耐久性を備えているものの、前記有機系太陽電池の場合には、その構造上、屋外環境などで使用する際に耐久性に課題がある。
【０００７】
その場合、自動販売機にあっては、それ自体が屋外環境に設置されてはいるものの、広告表示部などのように前面が透明板で覆われていると、屋内環境に近い環境となるため、有機系太陽電池の適用可能性が高いものといえる。そのため、有機系太陽電池の利点、つまり生産コストが低くかつ着色性や柔軟性などの利点を有効に利用することで、自動販売機の前面において広告を兼ねた有機系太陽電池による自動販売機の省電力化や広告の多様化が切望されている。
【０００８】
本発明は、かかる点に鑑みてなされたものであり、その目的とするところは、有機系太陽電池の利点を有効に利用して、前面での広告を兼ねた自動販売機の省電力化や広告の多様化を図ることができる太陽電池を用いた自動販売機の広告表示装置を提供することにある。
【課題を解決するための手段】
【０００９】
前記目的を達成するため、本発明が講じた解決手段は、自動販売機の前面にロゴや広告情報を表示する広告表示部を備え、この広告表示部に設けられ、光により生成された電力を給電して表示する太陽電池を用いた自動販売機の広告表示装置を前提とし、前記太陽電池として、表面に対し直接的又は間接的な加飾が施されかつ光を透過するシート状の有機系太陽電池を適用する。更に、前記有機系太陽電池に、当該有機系太陽電池を保持する枠体と、この枠体に取り付けられ、前記有機系太陽電池で生成した電力を蓄電する有機系太陽電池用蓄電部と、前記枠体に取り付けられ、前記有機系太陽電池用蓄電部に蓄電した電力により発光するシート状の発光体と、を備える。そして、前記有機系太陽電池を、前記枠体、前記有機系太陽電池用蓄電部及び前記発光体と共にモジュール化した状態で、前記広告表示部に収容することを特徴としている。
【００１０】
これに対し、本発明が講じたその他の解決手段は、自動販売機の前面にロゴや広告情報を表示する広告表示部を備え、この広告表示部に設けられ、光により生成された電力を給電して表示する太陽電池を用いた自動販売機の広告表示装置を同様に前提とし、前記太陽電池としては、表面に対し直接的又は間接的な加飾が施されかつ光を透過するシート状の有機系太陽電池を適用する。更に、前記有機系太陽電池に、当該有機系太陽電池で生成した電力を蓄電する有機系太陽電池用蓄電部と、この有機系太陽電池用蓄電部に蓄電した電力により発光するシート状の発光体と、加飾が施されかつ周縁よりも内側部分を前方へ膨出させた膨出部を有する透明板と、を備える。そして、前記有機系太陽電池を、前記透明板の膨出部により前方から覆われて当該透明板並びに前記有機系太陽電池用蓄電部及び前記発光体と共にモジュール化した状態で、前記広告表示部に対応する前記自動販売機の前面の対応位置に前記透明板の周縁を前方から取り付けることを特徴としている。
【００１１】
また、前記有機系太陽電池用蓄電部に、前記有機系太陽電池の外部との間で電力の給電を行う有機系太陽電池用外部端子を備えていてもよい。
【００１２】
また、自動販売機の前面に、複数の商品ダミー体を収容する展示室を設け、前記各商品ダミー体の少なくとも１つに、電力により作動する作動手段を設ける。そして、前記作動手段を、前記有機系太陽電池用外部端子に配線を介して接続していてもよい。
【００１３】
また、前記太陽電池として、前記自動販売機の上面又は側面に設けられたシリコン系太陽電池も適用し、前記シリコン系太陽電池に、当該シリコン系太陽電池により生成された電力を蓄電するシリコン系太陽電池用蓄電部を設けるとともに、前記シリコン系太陽電池用蓄電部に、当該蓄電部で蓄電した電力を前記作動手段に対し配線を介して給電するシリコン系太陽電池用外部端子を設けていてもよい。
【００１４】
更に、前記有機系太陽電池として、色素増感太陽電池又は有機薄膜太陽電池を適用していてもよい。
【発明の効果】
【００１５】
以上、要するに、表面に対し直接的又は間接的に加飾が施されたシート状の有機系太陽電池を、その裏面側に備えた有機系太陽電池用蓄電部及びシート状の発光体と共に枠体に保持してモジュール化し、広告表示部に収容することで、有機系太陽電池で生成されて有機系太陽電池用蓄電部に蓄電された電力により発光体を発光させ、この発光体の光によって表面に施した加飾を自動販売機の前面において鮮明に表示でき、広告を兼ねた有機系太陽電池の利点を有効に利用して自動販売機の省電力化及び広告の多様化を図ることができる。
【００１６】
これに対し、表面に対し直接的又は間接的に加飾が施されたシート状の有機系太陽電池を、加飾を施した透明板の膨出部により有機系太陽電池用蓄電部、シート状の発光体及び透明板と共に前方から覆ってモジュール化した状態で、その透明板の周縁を自動販売機の前面の対応位置に取り付けることで、有機系太陽電池で生成されて有機系太陽電池用蓄電部に蓄電された電力により発光体を発光させ、この発光体の光によって表面に施した加飾を自動販売機の前面において鮮明に表示でき、広告を兼ねた有機系太陽電池の利点を有効に利用して自動販売機の省電力化及び広告の多様化を図ることができる。
【００１７】
また、有機系太陽電池用蓄電部に有機系太陽電池用外部端子を備えることで、自動販売機の発光部位や駆動部位などの有機系太陽電池の外部にも有機系太陽電池用蓄電部に蓄電した電力を給電でき、自動販売機の省電力化を効果的に図ることができる。
【００１８】
また、自動販売機の展示室に収容した各商品ダミー体の少なくとも一つに、電力により作動させる作動手段を設け、この作動手段を有機系太陽電池用外部端子に配線を介して接続することで、有機系太陽電池で生成して有機系太陽電池用蓄電部に蓄電した電力により少なくとも１つの商品ダミー体の作動手段を作動させることができる。
【００１９】
また、自動販売機の天面又は側面に設けたシリコン系太陽電池のシリコン系太陽電池用蓄電部に、当該蓄電部で蓄電した電力を作動手段に対し配線を介して給電するシリコン系太陽電池用外部端子を設けることで、シリコン系太陽電池で生成してシリコン系太陽電池用蓄電部に蓄電した電力を作動手段に給電して有機系太陽電池の電力を十分に補うことができる。
【００２０】
更に、有機系太陽電池として色素増感太陽電池又は有機薄膜太陽電池を適用することで、有機系太陽電池の利点を有効に利用することができる。
【図面の簡単な説明】
【００２１】
【図１】本発明の実施の形態に係る広告表示装置を適用する太陽電池を用いた飲料用自動販売機の正面図である。
【図２】図１の飲料用自動販売機の展示室に収容されるダミー小缶の側面図である。
【図３】図２のダミー小缶の横断面図である。
【図４】図１の飲料用自動販売機の広告表示部付近で切断した広告表示装置の縦断側面図である。
【図５】図４の広告表示部に収容される広告表示装置の正面図である。
【図６】図５の広告表示装置を上方から見た平面図である。
【図７】図１の飲料用自動販売機の展示室に収容される第１ダミー大ペットボトルの正面図である。
【図８】図７のＡ−Ａ線における横断面図である。
【図９】図１の飲料用自動販売機の展示室に収容される第２ダミー大ペットボトルを取り付ける直前の上段のディスプレイ台の開口孔付近の斜視図である。
【図１０】図９の第２ダミー大ペットボトルを取り付ける途中の斜視図である。
【図１１】図１の飲料用自動販売機の展示室に収容される第３ダミー大ペットボトルの正面図である。
【図１２】図１１の第３ダミー大ペットボトルが取り付けられる上段のディスプレイ台の開口孔付近の平面図である。
【図１３】実施の形態の変形例に係る広告表示装置を適用する太陽電池を用いたタバコ用自動販売機の正面図である。
【図１４】実施の形態のその他の変形例に係る広告表示装置を適用する太陽電池を用いたタバコ用自動販売機の正面図である。
【図１５】図１４の広告表示部付近で切断した広告表示装置の縦断側面図である。
【発明を実施するための形態】
【００２２】
以下、本発明の実施の形態を添付した図面により詳細に説明する。
【００２３】
先ず、図１は本発明の実施の形態に係る広告表示装置を適用する太陽電池を用いた飲料用自動販売機の正面図、図２は展示室に収容されるダミー小缶の側面図、図３はダミー小缶の横断面図をそれぞれ示している。
【００２４】
図１において符号１で示す飲料用自動販売機（自動販売機）は、一般的な缶飲料やペットボトルなどの商品を販売するものである。この飲料用自動販売機１の本体キャビネット１１には、断熱材で囲まれた庫内に缶飲料やペットボトルなどを格納している。また、本体キャビネット１１の前面には、図示しないヒンジにより開閉自在な外扉１３が装着されている。この外扉１３の前面上部域には、展示室１４が画成されている。この展示室１４には、商品ダミー体２としての５本の小さいダミー小缶２１ａ及び２本の大きいダミー大缶２２ａ、商品ダミー体３としての５本の大きい第１〜第３ダミー大ペットボトル３１ａ〜３１ｃ及び５本の小さいダミー小ペットボトル３２ａ、商品ダミー体４としての３つのダミーボトル４１ａ、並びに商品ダミー体５としての１０本のダミー極小缶５１ａが陳列して展示されている。このように展示室１４に収容される各種商品ダミー体２〜５は、本体キャビネット１１の庫内に格納した缶飲料、ボトル飲料、及びペットボトル飲料にそれぞれ対応している。
【００２５】
また、外扉１３の前面中部域の一側（図１では左側）には、特定の商品のロゴや広告情報を表示する広告表示部８が設けられている。一方、外扉１３の前面中部域の他側（図１では右側）には、紙幣投入口１５、硬貨投入口１６、及びシリンダー錠付きのハンドル１７が設けられている。ハンドル１７は、外扉１３のヒンジとは反対側に位置し、シリンダー錠の開錠状態での操作により外扉１３を開放させるようにしている。更に、外扉１３の前面下部域には、商品取出口１８、及び釣銭返却口１９が設けられている。なお、外扉１３の背面には、図示しない通貨関連の硬貨制御装置、紙幣鑑別装置、硬貨回収ボックス、並びに商品選択ボタンと庫内のコラムとの割付や商品価格などの各種設定を行うリモコンボックスなどが配備されている。
【００２６】
展示室１４は、その前面を覆うように外扉１３に設けられた透明板１３１（図１では二点鎖線で示す）と外扉１３の背面に設けられた背面板としての中扉１３２との間に画成されている。中扉１３２には、上段、中段及び下段のディスプレイ台１３３ａ〜１３３ｃが設けられ、この各ディスプレイ台１３３ａ〜１３３ｃに各種商品ダミー体２〜５がそれぞれ着脱自在に取り付けられている。また、透明板１３１には、各種商品ダミー体２〜５に対応して設けられた商品選択ボタン１０１，１０１，…を備えた商品選択ボタンユニット１０が配設されている。
【００２７】
また、図２及び図３に示すように、大小の商品ダミー体２のうちのダミー小缶２１ａ（同一構成となるので、大きいダミー大缶２２ａについてはその詳細な説明は省略する）は、可撓性を有するシート状のダミー缶外殻２３と、このダミー缶外殻２３を保持するダミー缶枠２４とを備えている。そして、ダミー缶枠２４の下端には、下方に突出する略半円筒枠形状の突出部２４２が設けられている。この突出部２４２の周方向２カ所には、半径方向外方へ突出する係合片２４３，２４３が設けられている。一方、上段及び中段のディスプレイ台１３３ａ，１３３ｂには、突出部２４２が嵌挿される開口孔（図示せず）が設けられているとともに、この開口孔に係合片２４３を挿通可能とする切欠（図示せず）が設けられている。そして、ダミー缶枠２４は、突出部２４２及び各係合片２４３を上段及び中段のディスプレイ台１３３ａ，１３３ｂの開口孔及び各切欠に挿通し、商品ダミー体２が正面向きとなる位置まで回転させることで、各係合片２４３が開口孔の周縁に係合して取り付けられる。
【００２８】
ダミー缶外殻２３は、例えば、茶、ジュース、コーヒー等の飲料である商品のパッケージと略同じ内容の加飾がスクリーン印刷によって表面に対し直接的に施されている。このダミー缶外殻２３は、例えば、ポリプロピレン、ポリカーボネイト、ポリエチレンテレフタレート等またはそれらの再生品など、耐熱性、耐候性に優れた素材からなり、透光性を備えている。また、ダミー缶外殻２３は、最も単純安価な平板状となっている。
【００２９】
ダミー缶枠２４は、断面略円形枠状を呈し、合成樹脂材を用いてインジェクション成形されている。このダミー缶枠２４の前面には、ダミー缶外殻２３の表面のほぼ全域を外方へ露呈させる開口２４１が設けられている。そして、ダミー缶外殻２３は、ダミー缶枠２４の内方に湾曲させた状態で収容され、自身の変形時の復元力によりダミー缶枠２４の開口２４１の周縁に対し嵌合されて保持される。なお、ダミー缶枠２４は、比較的硬質の合成樹脂（例えば、ポリプロピレン等の熱可塑性樹脂又はそれらの再生品）をインジェクション成形して得られる。
【００３０】
図４は飲料用自動販売機１の広告表示部８付近で切断した縦断側面図、図５は広告表示部８に収容される広告表示装置の正面図、図６は広告表示装置を上方から見た平面図をそれぞれ示している。
【００３１】
広告表示部８は、図４に示すように、前面がアクリルなどの透明板８１により覆われているとともに、後面が背面板８２により仕切られて、外扉１３の厚みを考慮した略矩形状で前後方向に薄い空間に形成されている。具体的には、広告表示部８は、本体キャビネット１１の前面に沿って透明板８１が略鉛直に配置されているのに対し、背面板８２が下方に行くに従い前側に位置するように傾斜しており、その上端部での奥行き（透明板８１と背面板８２との間の空間）が略４０ｍｍ程度に、下端部での奥行きが略１０ｍｍ程度にそれぞれ設定されている。そして、広告表示部８は、背面板８２が本体キャビネット１１の裏面に接合されて上端に開口８２１を有していて、背面板８２と透明板８１とで有底四角筒状に形成されている。
【００３２】
広告表示部８には、広告表示装置８０が開口８２１（図５に表れる）を介して上方から収容されている。この広告表示装置８０は、図５及び図６に示すように、広告表示部８に対し光により生成された電力を給電する太陽電池としての略矩形シート状の色素増感太陽電池８３を備えている。
【００３３】
色素増感型太陽電池８３には、図示しないが、透明導電電極膜を有する作用電極基板と、金属酸化物皮膜を有する対向電極基板とが、それらの基板の導電電極面を内側にした状態で所定間隔を保って配設され、両電極基板間の空隙が、それら電極基板の内側面の周縁部においてシールされ、そのシールされた空隙内に、液状ないしゲル・固体状の電解質が封入されている。
【００３４】
色素増感型太陽電池８３は、通常、作用電極基板上に、酸化チタン膜等の多孔質半導体膜が形成されており、この多孔質半導体膜に増感色素が吸着している。一方、対向電極基板の導電電極面つまり金属酸化物皮膜側面には、白金や炭素等の極薄膜からなる触媒層が形成されている。これにより、作用電極基板が負極（マイナス）となり、対向電極基板が正極（プラス）となる。
【００３５】
作用電極基板としては、通常、可視光線透過率８０％を超える材料、例えば白板ガラス、ソーダガラス、硼珪酸ガラス等からなる透明な無機質製基板が適用される。また、作用電極基板は、無機質製基板以外にも、プラスチック等の透明な有機質製基板も用いられる。例えば、プラスチックとしては、ＰＥＴ、ポリエチレンナフタレート（ＰＥＮ）、ＰＣ、環状オレフィン等が挙げられる。
【００３６】
そして、一般に、作用電極基板は、導電性を有さないことから、これを支持基板とし、この片面に透明導電電極膜を備えることとなる。この透明導電電極膜としては、例えば、インジウム−スズ複合酸化物（ＩＴＯ），フッ素がドープされた酸化スズ（ＦＴＯ）、アンチモンがドープされた酸化スズ（ＡＴＯ）、酸化スズや酸化亜鉛等が用いられる。これらは単独でも２種以上を組み合わせて用いてもよい。なお、透明な支持基板そのものが、導電性プラスチックのように、導電性を有する材質からなるものであれば、透明導電電極膜を備える必要はなく、支持基板そのものを電極基板として用いることも可能である。
【００３７】
一方、金属酸化物皮膜を有する対向電極基板は、半透明な電極基板である。この基板自身は、ガラス上にフッソドープ酸化錫、酸化亜鉛、酸化インジウムや各種カーボン材料（グラファイト、グラフェン等）導電膜付きガラス基板や、電解液に腐食されない金属板（チタン、ニッケル、スチール等）が適用される。また、対向電極基板として、ポリアニリンやポリエチレンジオキシチオフェン（ＰＥＤＯＴ）等の導電性高分子を成膜した複合電極を用いてもよい。
【００３８】
金属酸化膜の厚みは、面内厚みの均一性が担保される厚みを考慮した場合、５０ｎｍ以上であることが好ましく、より好ましくは１００ｎｍ以上である。また、金属酸化膜は、一般に、電気炉等での焼成による大気圧酸化法や、硝酸等による化学酸化法、陽極酸化法等の公知の各種方法により形成される。なお、金属酸化膜の厚みの上限は、通常、１００００ｎｍである。
【００３９】
更に、電解液に接する対向電極基板の表面には、白金やルテニウム金属あるいは各種炭素材料（カーボンナノチューブやカーボンナノファイバー等）の極薄膜からなる触媒膜が形成されている。例えば、白金では、触媒能力と面内厚みの均一性が担保されることを考慮して５０ｎｍ以上であることが好ましく、より好ましくは１０ｎｍ以上であり、厚みに関して制約はない。これらの触媒層の成膜方法としては、一般に蒸着やスパッタ法が用いられるが、電気炉等での焼成による大気圧酸化法、硝酸等による化学酸化法、又は陽極酸化法などの公知の各種方法が適用される。
【００４０】
また、作用電極基板上の金属酸化物粒子からなる多孔質半導体膜は、導電性と十分な比表面積が確保できれば材料に特に制限されるものではないが、例えば、酸化チタン、酸化亜鉛、酸化錫、又はこれらの組み合わせからなる多孔質のｎ型金属酸化物半導体であることが好ましい。また、多孔質半導体膜を形成する半導体粒子は、粒状体、針状体、チューブ状体、又は柱状体等の線状体、もしくはこれら種々の線状体が集合してなるものが好適である。
【００４１】
多孔質半導体膜に吸着させる増感色素としては、例えば、光を吸収しかつ多孔質半導体膜に吸着する増感色素等が挙げられる。この増感色素の材料としては、例えば、ルテニウム錯体系、インドリン系、ポルフィリン系、フタロシアニン系，メロシアニン系，クマリン系等の有機色素の他、シリコン，砒化ガリウム，インジウムリン，カドミウムセレン，硫化カドミウム，ＣｕＩｎＳｅ等の無機系半導体や、酸化クロム，酸化鉄，酸化ニッケル等の無機顔料等があげられる。
【００４２】
両電極基板間の空隙に封入される電解質は、電解質を含有する液体のことであり、電解質と液体媒体とからなる。電解質としては、例えば、ヨウ素系の第４級アンモニウム塩、リチウム塩等があげられる。液体溶媒は、例えば、アセトニトリル、ブタノール、炭酸エチレン、メトキシプロピオニトリル等が組み合わされ、これにヨウ化テトラプロピルアンモニウム，ヨウ化リチウム，ヨウ素等を混合して電解質液が調製される。
【００４３】
この場合、電解質液としては、導電性粒子と溶媒とを少なくとも含む擬固体電解質であってもよい。なお、「擬固体」とは、固体の他、流動性はほとんど認められないが応力の印加により変形可能であるゲル状固形物或いは粘土状固形物を包含する概念を意味し、具体的には、静置して一定時間を放置した後に、自重による形状変化がないか又はその形状変化がわずかなものを意味する。擬固体電解質に含まれる導電性粒子としては、特に限定されないが、導電性炭素粒子（導電性炭素材料）が好ましく、その具体例としては、例えば、カーボンブラック、カーボンファイバー、カーボンナノチューブ、グラファイト、活性炭、フラーレン等が挙げられる。なお、これらは、各々を単独で用いても、複数を組み合わせて用いてもよい。
【００４４】
そして、各色素増感太陽電池８３の表面側に位置する作用電極基板には、特定の商品の広告情報を表示する加飾が直接的に施されている。この加飾は、作用電極基板の表面であっても裏面であってもよい。また、色素増感太陽電池８３は、広告表示装置８０の最前面側に位置している。広告表示装置８０は、色素増感太陽電池８３の周囲を保持する枠体８３１と、この枠体８３１に取り付けられ、色素増感太陽電池８３で生成した電力を蓄電する有機系太陽電池用蓄電部としての広告表示装置用蓄電部８３２と、枠体８３１に取り付けられ、広告表示装置用蓄電部８３２に蓄電した電力により発光するシート状の発光体としてのＥＬシート８３３とを備えている。また、色素増感太陽電池８３は、その上下両端にそれぞれ端子８３４，８３４を備え、それぞれ配線８３５を介して広告表示装置用蓄電部８３２に接続されている。そして、色素増感太陽電池８３は、その裏面側にＥＬシート８３３及び広告表示装置用蓄電部８３２を枠体８３１によって保持し、これらを一体的にモジュール化して、広告表示装置８０を構成している。この場合、枠体８３１は、広告表示部８の形状に則して、上端部での前後方向長さが略４０ｍｍ弱程度に、下端部での前後方向長さが略１０ｍｍ弱程度にそれぞれ設定されている。
【００４５】
ＥＬシート８３３は、広告表示装置用蓄電部８３２に点滅及び点灯用回路基板８４を介して接続され、広告表示装置用蓄電部８３２に蓄電された電力により発光するようになっている。なお、色素増感太陽電池８３は、太陽光及び街灯などの人工光によっても電力が生成される。
【００４６】
また、ダミー小缶２１ａ及びダミー大缶２２ａは、電力により発光する作動手段としてのＬＥＤランプ２６及びＥＬシート２７と、ＥＬシート２７を点滅させる回路基板２８とをダミー缶外殻２３の内部に備えている。ダミー小缶２１ａ及びダミー大缶２２ａのダミー缶枠２４前面の開口２４１の左右両端には、一対のダミー缶用外部端子２５１，２５１が設けられ、この各ダミー缶用外部端子２５１にそれぞれＬＥＤランプ２６及び回路基板２８が接続されている。そして、両ダミー缶用外部端子２５１は、ダミー缶枠２４のインジェクション成形時に当該ダミー缶枠２４と一体的にインサート成形されている。この場合、両ダミー缶用外部端子２５１は、ダミー缶枠２４のインジェクション成形時に図２及び図３に示す実線位置で成形され、使用時に図２及び図３に示す二点鎖線位置まで折り曲げて使用される。また、ＬＥＤランプ２６及びＥＬシート２７のいずれか一方のみが発光体として設けられていてもよい。
【００４７】
また、広告表示装置用蓄電部８３２には、色素増感太陽電池８３の外部つまり広告表示装置８０の外部との間で電力の給電を行う有機系太陽電池用外部端子としての一対の広告表示装置用外部端子８５，８５が設けられている。この各広告表示装置用外部端子８５には、各ダミー缶用外部端子２５１が配線２９を介して接続され、広告表示装置８０の色素増感太陽電池８３で生成して広告表示装置用蓄電部８３２に蓄電された電力によって、ＬＥＤランプ２６を発光させている一方、ＥＬシート２７を回路基板２８を介して点滅させている。この場合、各ダミー缶用外部端子２５１は、枠体８３１に設けられた切欠（図示せず）を介して外方（後方）へ突出しており、これによって配線２９を介した各ダミー缶用外部端子２５１との接続が行えるようにしている。
【００４８】
図７は飲料用自動販売機の展示室に収容される第１ダミー大ペットボトル３１ａの正面図、図８は図７のＡ−Ａ線における断面図をそれぞれ示している。
【００４９】
図７及び図８において、商品ダミー体３のうちの第１ダミー大ペットボトル３１ａは、パネル状のダミーペットボトル本体３３を備えている。また、第１ダミー大ペットボトル３１ａは、ダミーペットボトル本体３３を保持するダミーペットボトル枠３４を備えている。
【００５０】
ダミーペットボトル枠３４は、略矩形状を呈し、合成樹脂材を用いてインジェクション成形されている。ダミーペットボトル本体３３は、その突出部分３０１に設けられた係合部（図示せず）によりダミーペットボトル枠３４に対し係合されて保持されている。なお、ダミーペットボトル枠３４に使用される合成樹脂材としては、前記ダミー缶枠２４と同じものが挙げられる。
【００５１】
一方、第２，第３ダミー大ペットボトル３１ｂ，３１ｃ及びダミー小ペットボトル３２ａは、ダミーペットボトル枠３４を備えてはおらず、パネル状のダミーペットボトル本体３３のみで構成されている。
【００５２】
第１〜第３ダミー大ペットボトル３１ａ〜３１ｃ及びダミー小ペットボトル３２ａのダミーペットボトル本体３３は、それぞれに該当する商品の略前半分の形状をしている。すなわち、このダミーペットボトル本体３３は、例えば、ポリカーボネイト、ポリエチレンテレフタレート等またはそれらの再生品など、耐熱性、耐候性に優れた素材からなる。そして、ダミーペットボトル本体３３は、真空成形または圧空成形とトムソン法やプレス法による打ち抜きとによって成形され、トムソン法やプレス法による打ち抜きを行う際に、ダミーペットボトル本体３３の周縁に外方（ダミーペットボトル本体３３を立てたときの上下左右方向外側）に向かって延びる突出部分３０１が形成されている。このとき、第１ダミー大ペットボトル３１ａのダミーペットボトル本体３３の突出部分３０１には、図示しない係合部が設けられ、この係合部によって、ダミーペットボトル本体３３がダミーペットボトル枠３４に保持されるようになっている。
【００５３】
そして、ダミーペットボトル本体３３には、商品と略同じ内容の加飾がスクリーン印刷やオフセット印刷により施されている。これらの印刷による加飾は、ダミーペットボトル本体３３の表面であっても裏面であってもよい。
【００５４】
また、第１ダミー大ペットボトル３１ａのダミーペットボトル本体３３の少なくとも一部としての上部における左右両側の突出部分３０１には、気泡の模様を表す複数の開口孔３０２が穿たれている。なお、開口孔３０２に代えて、ダミーペットボトル本体の突出部分に気泡の模様や商品ダミー体に適したロゴなどが印刷されていてもよい。
【００５５】
更に、第１〜第３ダミー大ペットボトル３１ａ〜３１ｃ及びダミー小ペットボトル３２ａは、ダミーペットボトル本体３３の内部に電力により発光する作動手段としての有機又は無機のＥＬシート３７（発光体）を備えている。このＥＬシート３７は、ダミーペットボトル本体３３の裏側に設けられ、その周縁が突出部分３０１の裏面に取り付けられている。この場合、第１ダミー大ペットボトル３１ａのＥＬシート３７は、ダミーペットボトル枠３４の表面に取り付けられている。
【００５６】
また、第１〜第３ダミー大ペットボトル３１ａ〜３１ｃ及びダミー小ペットボトル３２ａは、当該各ダミー大ペットボトル３１ａ〜３１ｃ及び各ダミー小ペットボトル３２ａに対して電力の給電を行うダミー体用外部端子としての一対のダミーペットボトル用外部端子（図示せず）を備えている。この両ダミーペットボトル用外部端子は、他の第１〜第３ダミー大ペットボトル３１ａ〜３１ｃ及びダミー小ペットボトル３２ａのダミーペットボトル用外部端子同士とそれぞれ配線を介して接続されている。また、第１〜第３ダミー大ペットボトル３１ａ〜３１ｃ及びダミー小ペットボトル３２ａの両ダミーペットボトル用外部端子は、色素増感太陽電池８３の広告表示装置用蓄電部８３２の広告表示装置用外部端子８５に対し配線を介して接続されている。そして、広告表示装置用蓄電部８３２で蓄電した電力によって、第１〜第３ダミー大ペットボトル３１ａ〜３１ｃ及びダミー小ペットボトル３２ａのＥＬシート３７を点灯させている。
【００５７】
図９は第２ダミー大ペットボトル３１ｂを取り付ける直前の上段のディスプレイ台１３３ａの開口孔付近の斜視図、図１０は第２ダミー大ペットボトル３１ｂを取り付ける途中の斜視図をそれぞれ示している。
【００５８】
図９及び図１０に示すように、第２ダミー大ペットボトル３１ｂ（同一構成となるので、第１，第３ダミー大ペットボトル３１ａ，３１ｃ及び各ダミー小ペットボトル３２ａについてはその詳細な説明は省略する）のダミーペットボトル本体３３の下端には、下方へ突出する略半円形状の突出部３９が設けられている。突出部３９は、その周縁の両端近傍で下端部に突起部３９４，３９４を有し、周縁の中央部分の下端部に２つの突起３９５，３９５が隙間を存して設けられている。また、各突起３９５の隙間、及び各突起３９５と各突起部３９４との間には、側面視で三角形の挟持用突起３９６，３９７が突設されている。そして、ダミーペットボトル本体３３は、突出部３９の周面部分が突起３９５と挟持用突起３９６との間に挿入されるように差し込み、突出部３９の近傍部分を弾性変形させて突起部３９４を上段及び中段のディスプレイ台１３３ａ，１３３ｂの開口孔１３３ｄの周縁部分を潜らせてから、突出部３９を弾性復帰させることで取り付けられる。
【００５９】
図１１は飲料用自動販売機１の展示室１４に収容される第３ダミー大ペットボトル３１ｃの正面図、図１２は図１１の第３ダミー大ペットボトル３１ｃが取り付けられる上段のディスプレイ台の開口孔付近の平面図をそれぞれ示している。
【００６０】
図１１及び図１２に示すように、第３ダミー大ペットボトル３１ｃは、当該第３ダミー大ペットボトル３１ｃの商品に適したロゴや模様を表記した表示板６５を備えている。ダミー大ペットボトル３１ｃは、その一部分としての表示板６５を電力により作動させる作動手段６６を備えている。この作動手段６６は、表示板６５の中央部より下方に垂下するロッド６６１と、駆動部としてのモータ６６２とを備えている。ロッド６６１の下端は、モータ６６２の出力軸に回転一体に連結されている。モータ６６２は、上段のディスプレイ台１３３ａの開口孔１３３ｄの中扉１３２側周縁にクリップされたクリップ体６６６の上面に取り付けられている。また、モータ６６２は、第３ダミー大ペットボトル３１ｃの両ダミー缶用外部端子に配線を介して接続されている。そして、モータ６６２は、広告表示装置用蓄電部８３２から給電される電力により回転し、表示板６５をロッド６６１回りに回転させるようにしている。
【００６１】
また、飲料用自動販売機１の本体キャビネット１１の天面には、シリコン系太陽電池７２が取り付けられている。このシリコン系太陽電池７２は、当該シリコン系太陽電池７２で生成した電力を蓄電するシリコン系太陽電池用蓄電部としての天面用蓄電部（図示せず）と、この天面用蓄電部に設けられ、シリコン系太陽電池７２の外部に電力の給電を行う一対の天面用外部端子（図示せず）とを備えている。そして、両天面用外部端子は、ダミー小缶２１ａ及びダミー大缶２２ａのダミー缶用外部端子２５１並びに第１〜第３ダミー大ペットボトル３１ａ〜３１ｃ及びダミー小ペットボトル３２ａのダミーペットボトル用外部端子とそれぞれ配線を介して接続され、当該各ダミー小缶２１ａ及びダミー大缶２２ａ並びに第１〜第３ダミー大ペットボトル３１ａ〜３１ｃ及びダミー小ペットボトル３２ａに対し電力の給電が行えるようにしている。
【００６２】
したがって、本実施の形態では、表面に対し直接的に加飾が施されたシート状の色素増感太陽電池８３が、その裏面側に備えた広告表示装置用蓄電部８３２及びＥＬシート８３３と共に枠体８３１に保持してモジュール化され、広告表示部８に収容されているので、色素増感太陽電池８３で生成されて広告表示装置用蓄電部８３２に蓄電された電力によりＥＬシート８３３を発光させ、この色素増感太陽電池８３を透過するＥＬシート８３３の光によって表面に施した加飾を飲料用自動販売機１に既存の広告表示部８において鮮明に表示でき、広告を兼ねた色素増感太陽電池８３の利点を有効に利用して飲料用自動販売機１の省電力化及び広告の多様化を図ることができる。
【００６３】
また、広告表示装置用蓄電部８３２に広告表示装置用外部端子８５が設けられているので、各商品ダミー体２，３のＬＥＤランプ２６、ＬＥＤシート２７、モータ６６２及びＬＥＤシート３７にも広告表示装置用蓄電部８３２に蓄電した電力を給電して当該ＬＥＤランプ２６、ＬＥＤシート２７，３７を点灯又は点滅させたり、モータ６６２を駆動させたりすることもでき、飲料用自動販売機１の省電力化を効果的に図ることができる。
【００６４】
また、飲料用自動販売機１の本体キャビネット１１の天面に設けたシリコン系太陽電池７２の天面用蓄電部の天面用外部端子が各商品ダミー体２，３のＬＥＤランプ２６、ＬＥＤシート２７、モータ６６２及びＬＥＤシート３７に配線を介して接続され、シリコン系太陽電池７２で蓄電した電力もＬＥＤランプ２６、ＬＥＤシート２７，３７、モータ６６２に給電されるので、広告表示装置用蓄電部８３２からの電力が不足するといった事態に陥ったとしても、天面用蓄電部で蓄電した電力を各商品ダミー体２，３のＬＥＤランプ２６、ＬＥＤシート２７，３７、モータ６６２に給電して当該ＬＥＤランプ２６、ＬＥＤシート２７，３７を点灯、点滅させたり、モータ６６２を駆動させることもできる。
【００６５】
なお、本発明は、前記実施の形態に限定されるものではなく、その他種々の変形例を包含している。例えば、前記実施の形態では、本体キャビネット１１の庫内に缶飲料やペットボトルなどを格納する飲料用自動販売機１の広告表示部８に広告表示装置８０を適用した場合について述べたが、図１３に示すように、本体キャビネット１１の庫内にたばこを格納するたばこ用自動販売機９の広告表示部８にも適用できるのはいうまでもない。この場合、たばこ用自動販売機９の展示室９０には各種商品ダミー体としてのダミーたばこ本体９１，９１，…が収容されており、外扉１３の前面にも、飲料用自動販売機１と同様に、広告表示部８、紙幣投入口１５、硬貨投入口１６、商品取出口１８、及び釣銭返却口１９が設けられる。
【００６６】
また、図１４及び図１５に示すように、たばこ用自動販売機９９の外扉１３前面の広告表示部８に対応する対応位置に取り付けられたシート状の太陽電池としての色素増感太陽電池９２が、裏面にシルク印刷又はオフセット印刷により加飾が施されかつ周縁よりも内側部分を前方へ膨出させた膨出部９３１を有するアクリル製の透明板９３と、この透明板９３の膨出部９３１の裏面下部に取り付けた色素増感太陽電池９２の裏面に取り付けられ、色素増感太陽電池９２で生成した電力を蓄電する有機系太陽電池用蓄電部としての広告表示装置用蓄電部９４と、この広告表示装置用蓄電部９４に蓄電した電力により発光するシート状の発光体としての有機又は無機のＥＬシート９５とを備え、透明板９３並びに広告表示装置用蓄電部９４及びＬＥＤシート９５と共にモジュール化された広告表示装置９７を構成し、たばこ用自動販売機９９の外扉１３前面の広告表示部８に対応する対応位置に透明板９３の膨出部９３１により前方から覆われた状態で当該透明板９３の周縁９３２を密接させて広告表示装置９７が取り付けられていてもよい。
この場合には、裏面に加飾が施された透明板９３の膨出部９３１により前方から覆われて表面に対し間接的に加飾が施されたシート状の色素増感太陽電池９２が、広告表示装置用蓄電部９４及びＥＬシート９５と共に透明板９３の膨出部９３１により前方から覆われてモジュール化された状態で、その透明板９３の周縁をたばこ用自動販売機９９の前面の対応位置に取り付けることで、色素増感太陽電池９２で生成されて広告表示装置用蓄電部９４に蓄電された電力によりＥＬシート９５を発光させ、このＥＬシート９５の光によって表面に施した加飾をたばこ用自動販売機９９の前面において鮮明に表示でき、広告を兼ねた色素増感太陽電池９２の利点を有効に利用してたばこ用自動販売機９９の省電力化及び広告の多様化を図ることが可能となる。また、広告表示装置９７は、たばこ用自動販売機９９の外扉１３前面の広告表示部８に対応する対応位置に限らず、広告表示部が存在しない自動販売機の外扉前面の任意の位置や、自動販売機の外扉前面全ての領域に、透明板の膨出部により前方から覆われた状態で当該透明板の周縁を密接させて取り付けられていてもよい。更に、広告表示装置９７が、飲料用自動販売機の前面にも取り付けられていてもよいのはいうまでもない。
【００６７】
また、前記実施の形態では、有機又は無機のＥＬシート２７，３７，８３３を用いたが、ＬＥＤシート、又は端縁から光を照射して発光するアクリルなどからなる透明の導光板が用いられていてもよい。
【００６８】
また、前記実施の形態では、本体キャビネット１１の天面にシリコン系太陽電池７２を取り付けたが、本体キャビネットの側方に光が入射可能な空間がある場合には、当該空間に隣接する本体キャビネットの側面にもシリコン系太陽電池が取り付けられていてもよい。
【００６９】
また、前記実施の形態では、有機系太陽電池としてそれぞれ色素増感太陽電池を用いたが、色素増感太陽電池に代えて有機薄膜太陽電池がそれぞれ適用されていてもよい。
【００７０】
また、前記実施の形態では、色素増感太陽電池８３で生成した電力を各商品ダミー体２，３に給電したが、色素増感太陽電池で生成した電力を展示室に収容される各ダミーボトルや各ダミー極小缶にも給電し、当該各ダミーボトルや各ダミー極小缶も発光させたり、その少なくとも一部を駆動させるようにしてもよい。
【００７１】
更に、ダミー缶用外部端子２５１がダミー缶枠２４と一体的にインサート成形されているので、ダミー缶枠２４に対しダミー缶用外部端子２５１を後付けで取り付ける必要がなく、ダミー缶用外部端子２５１の取付作業を廃止することが可能となる。
【産業上の利用可能性】
【００７２】
本発明に係る色素増感太陽電池は、広告表示部に収容される広告表示装置に取り付けられて発電することで、自動販売機の変更を最小限に押さえつつ省電力化を図る効果があり、あらゆる自動販売機に用いると有用である。
【符号の説明】
【００７３】
１        飲料用自動販売機（自動販売機）
１４      展示室
２〜５    商品ダミー体
２６      ＬＥＤランプ（作動手段）
２７      ＥＬシート（作動手段）
２９      配線
３７      ＥＬシート（作動手段）
６５      表示板（商品ダミー体の少なくとも一部分）
６６      作動手段
７２      シリコン系太陽電池
８        広告表示部
８０      広告表示装置
８３      色素増感太陽電池（有機系太陽電池）
８３１    枠体
８３２    広告表示装置用蓄電部（有機系太陽電池用蓄電部）
８３３    ＥＬシート（発光体）
８５      広告表示装置用外部端子（有機系太陽電池用外部端子）
９，９９  たばこ用自動販売機（自動販売機）
９１      ダミーたばこ本体（商品ダミー体）
９２      色素増感太陽電池（有機系太陽電池）
９３      透明板
９３１    膨出部
９４      広告表示装置用蓄電部（有機系太陽電池用蓄電部）
９５      ＥＬシート（発光体）
【図１】
0005481511.tif 000002
【図２】
0005481511.tif 000003
【図３】
0005481511.tif 000004
【図４】
0005481511.tif 000005
【図５】
0005481511.tif 000006
【図６】
0005481511.tif 000007
【図７】
0005481511.tif 000008
【図８】
0005481511.tif 000009
【図９】
0005481511.tif 000010
【図１０】
0005481511.tif 000011
【図１１】
0005481511.tif 000012
【図１２】
0005481511.tif 000013
【図１３】
0005481511.tif 000014
【図１４】
0005481511.tif 000015
【図１５】
0005481511.tif 000016